(57)【要約】【課題】印刷品質を維持し、ロール状媒体をロール状媒体供給装置に簡単にセットすることを可能としたロール状媒体供給装置を提供する。【解決手段】  着脱可能なロール状媒体を備え、ロール状媒体から媒体を、ロール状媒体の着脱方向の奥側に給送する媒体供給装置であって、  ロール状媒体を装着する際に、ロール状媒体を案内する複数のガイド部材を有し、ガイド部材は、ロール状媒体の下方の外周面にのみ、少なくとも一部において当接する少なくとも一つの当接部材と、ロール状媒体の外周面に当接しない少なくとも一つの補助部材と、を備え、当接部材と補助部材とは、これらの基部において、同一の回動軸で連結され、補助部材は、当接部材より媒体の給送方向で短く、当接部材と平行に設けられている。【選択図】図５
2016128341.tif 000002
【特許請求の範囲】
【請求項１】
着脱可能なロール状媒体を備え、
前記ロール状媒体から媒体を、該ロール状媒体の着脱方向の奥側に給送する媒体供給装置であって、
前記ロール状媒体を装着する際に、該ロール状媒体を案内する複数のガイド部材を有し、
前記ガイド部材は、前記ロール状媒体の下方の外周面にのみ、少なくとも一部において当接する少なくとも一つの当接部材と、前記ロール状媒体の外周面に当接しない少なくとも一つの補助部材と、を備え、
前記当接部材と前記補助部材とは、これらの基部において、同一の回動軸で連結され、
前記補助部材は、前記当接部材より媒体の給送方向で短く、該当接部材と平行に設けられていることを特徴とする、媒体供給装置。
【請求項２】
着脱可能なロール状媒体を備え、
前記ロール状媒体から媒体を、該ロール状媒体の着脱方向の奥側に給送する媒体供給装置であって、
前記ロール状媒体を装着する際に、該ロール状媒体を案内する複数のガイド部材を有し、
前記ガイド部材は、前記ロール状媒体の下方の外周面にのみ、少なくとも一部において当接する少なくとも一つの当接部材と、前記ロール状媒体の外周面に当接しない少なくとも一つの補助部材と、を備え、
前記当接部材と前記補助部材とは、これらの基部において、同一の回動軸で連結され、
前記補助部材は、前記当接部材より媒体の給送方向で短く、該当接部材と非平行に設けられていることを特徴とする、媒体供給装置。
【請求項３】
前記補助部材は、前記当接部材から所定の角度を有して設置されていることを特徴とする、請求項２に記載の媒体供給装置。
【請求項４】
着脱可能なロール状媒体を備え、
前記ロール状媒体から媒体を、該ロール状媒体の着脱方向の奥側に給送する媒体供給装置であって、
前記ロール状媒体を装着する際に、該ロール状媒体を案内する複数のガイド部材を有し、
前記ガイド部材は、前記ロール状媒体の下方の外周面にのみ、少なくとも一部において当接する少なくとも一つの当接部材と、前記ロール状媒体の外周面に当接しない少なくとも一つの補助部材と、を備え、
前記当接部材と前記補助部材とは、これらの基部において、同一の回動軸で連結され、
前記補助部材は、伸縮可能な伸縮機構を有していることを特徴とする、媒体供給装置。
【請求項５】
前記ガイド部材は、前記ロール状媒体から給送される媒体の上方に、前記ロール状媒体に当接しない少なくとも１つの第２の補助部材を備えることを特徴とする、請求項１〜４の何れか一項に記載の媒体供給装置。
【請求項６】
前記第２の補助部材は、該第２の補助部材の上方と下方とを連通する開口部を有することを特徴とする、請求項５に記載の媒体供給装置。
【請求項７】
請求項１〜６の何れか一項に記載の媒体供給装置を備えることを特徴とする画像形成装置。
【発明の詳細な説明】
【技術分野】
【０００１】
本発明は、長尺の用紙を巻き取って形成したロール状媒体を搬送するロール状媒体搬送装置、及びこのロール状媒体搬送装置を備えた画像形成装置に関する。
【背景技術】
【０００２】
画像形成装置に用いられる記録媒体として、長尺の用紙を巻き取って形成したロール状媒体を使用するものがある。このような画像形成装置は、ロール状媒体から送出される用紙を供給するロール状媒体供給装置を備える。また、ロール状媒体の交換などの操作性向上のために、ロール状媒体をロール状媒体供給装置に設置する設置位置を、画像形成装置の前面に設けている。
【０００３】
また、このような画像形成装置は、多段ロールに対応させたり、画像形成装置の高さを抑えることが要望されている。また、搬送時における用紙の斜行の発生を抑制するために、搬送経路を極力短くすることが要望されている。
【０００４】
このような要望に対応するため、ロール状媒体を画像印字部の下方に設け、搬送ローラを画像形成装置の奥側に配置し、ロール状媒体の先端をロール状媒体供給装置の奥側へセットすることが最適な構成として考えられている。
【０００５】
しかしながら、このような画像形成装置は、ロール状媒体をロール状媒体供給装置にセットする際、ロール状媒体の先端をガイドに挿入するところ、ロール状媒体自体が作業者の視界を遮ることから、作業者がロール状媒体をロール状媒体供給装置にセットすることが困難となってしまう。
【０００６】
そこで、ロール状媒体をロール状媒体供給装置にセットした後に、ロール状媒体を回転させることで、ロール状媒体の先端を誘導するガイドを有する構成が考えられる。
【０００７】
しかしながら、厚紙や残量が少なく巻芯に近いロール状媒体は、カールが強い状態になるところ、ロール状媒体供給装置の先端がカールの影響を受けることから、ロール状媒体の先端をガイドに誘導することが困難となる虞がある。
【０００８】
このような問題を解決すべく、ロール状媒体の外周面に追従するガイドを設け、作業者がロール状媒体を回転させることで、ロール状媒体からロール状媒体の先端が分離され、搬送ローラまで案内される技術が既に知られている（例えば、特許文献１参照）。
【０００９】
しかしながら、特許文献１に記載の給紙装置、用紙残量が少ないロール紙や、用紙エンドが芯体に糊付けされているロール紙では、ガイドが搬送状態の用紙と干渉又は接触するところ、搬送負荷となることから、印刷品質の低下を招く問題がある。
【００１０】
このような問題を回避するために、ガイドの長さを極力短くすることも考えられるが、ロール紙を給紙装置にセットする際の視認性が悪いという問題がある。
【発明の概要】
【発明が解決しようとする課題】
【００１１】
本発明は、印刷品質を維持し、ロール状媒体をロール状媒体供給装置に簡単にセットすることを可能としたロール状媒体供給装置を提供することを目的とする。
【課題を解決するための手段】
【００１２】
上述した課題を解決するために、本発明の請求項１に記載の定着装置は、
着脱可能なロール状媒体を備え、
前記ロール状媒体から媒体を、該ロール状媒体の着脱方向の奥側に給送する媒体供給装置であって、
前記ロール状媒体を装着する際に、該ロール状媒体を案内する複数のガイド部材を有し、
前記ガイド部材は、前記ロール状媒体の下方の外周面にのみ、少なくとも一部において当接する少なくとも一つの当接部材と、前記ロール状媒体の外周面に当接しない少なくとも一つの補助部材と、を備え、
前記当接部材と前記補助部材とは、これらの基部において、同一の回動軸で連結され、
前記補助部材は、前記当接部材より媒体の給送方向で短く、該当接部材と平行に設けられていることを特徴とする。
【発明の効果】
【００１３】
本発明によると、印刷品質を維持し、ロール状媒体をロール状媒体供給装置に簡単にセットすることを可能としたロール状媒体供給装置を提供できる。
【図面の簡単な説明】
【００１４】
【図１】本発明の第１実施形態に係る画像形成装置を概略的に示す構成図である。
【図２】図１に示した画像形成装置を概略的に示す断面図である。
【図３】図１に示した画像形成装置の媒体搬送装置の要部拡大図である。
【図４】図１に示した画像形成装置のロール状媒体セットガイドを概略的に示す構成図である。
【図５】図１に示した画像形成装置のロール状媒体セットガイドの斜視図である。
【図６】図１に示した画像形成装置のロール状媒体セットガイドを概略的に示す断面図である。
【図７】従来の画像形成装置のロール状媒の着脱を説明する説明図である。
【図８】図１に示した画像形成装置のロール状媒の着脱を説明する説明図である。
【図９】図１に示した画像形成装置のロール支持部材とロール残量の概要図である。
【図１０】図１に示した画像形成装置のロール支持部材とロール残量の概要図である。
【図１１】本発明の第２実施形態に係る画像形成装置のロール状媒体セットガイドの配置図である。
【図１２】本発明の第３実施形態に係る画像形成装置のロール状媒体セットガイドの伸縮機構を示す構成図である。
【発明を実施するための形態】
【００１５】
以下、本発明の第１実施形態について、図面を用いて詳細に説明する。
＜画像形成装置の構成＞
本実施形態に係る画像形成装置１は、図１に示すように、画像データに対応してインク滴を吐出することで記録媒体に印字を行うインクジェットプリンタである。なお、本発明は、記録媒体を搬送して印刷を行う電子写真方式等の複写機や印刷機等に適用することも可能である。
【００１６】
図１の矢印は、Ｘが画像形成装置１の奥行き方向（前後方向）、Ｙが画像形成装置１の幅方向（主走査方向）、Ｚが上下方向を示している。
【００１７】
画像形成部３は、インクジェット記録方式で画像形成を行う構成であり、本実施形態に係る画像形成装置１はシリアル型インクジェット記録装置である。
【００１８】
画像形成部３には、ガイドロッド１８及びガイドレール１９が側板に掛け渡され、これらのガイドロッド１８及びガイドレール１９にキャリッジ２０が主走査方向Ｙに移動可能に保持されている。
【００１９】
キャリッジ２０には、ブラック（Ｋ）、イエロー（Ｙ）、マゼンタ（Ｍ）、シアン（Ｃ）の各色のインク滴を吐出する液体記録ヘッドが搭載されている。各液体記録ヘッドには、インクを供給するサブタンクが一体的に設けられている。
【００２０】
キャリッジ２０を主走査方向Ｙに移動走査する主走査機構は、主走査方向Ｙの一方側（図１において左斜め上方）に配置されている駆動モータ２１と、駆動モータ２１の出力軸に連結されて回転駆動する駆動プーリ２２と、主走査方向Ｙの他方側（図１において右斜め下方）に配置された従動プーリ２３と、駆動プーリ２２と従動プーリ２３との間に巻き掛けられているベルト部材２４とを備えている。
【００２１】
従動プーリ２３は、テンションスプリングによって外方、すなわち駆動プーリ２２から離れる方向にテンションが掛けられている。
【００２２】
ベルト部材２４は、キャリッジ２０の背面側に設けられているベルト固定部に、その一部分が固定保持されることで、キャリッジ２０を主走査方向Ｙに牽引する。
【００２３】
キャリッジ２０の主走査方向Ｙに沿ってエンコーダシートが配置され、キャリッジ２０に設けられているエンコーダセンサがエンコーダシートを読み取ることで、キャリッジ２０の主走査方向位置を検知する。
【００２４】
また、キャリッジ２０に搭載された反射型センサが、画像形成装置１にセットされたロール状媒体１０の両端部を検知する。その際、エンコーダセンサによって読み取られた主走査方向位置からロール状媒体１０のサイズを検出する。
【００２５】
ロール状媒体１０は、例えば長尺の用紙を巻き取って形成したロール紙を使用し、上段ロール状媒体１０ａと下段ロール状媒体１０ｂとを有する。上段ロール状媒体１０ａ及び下段ロール状媒体１０ｂは、媒体供給装置に装着される。媒体供給装置は、上段ロール状媒体１０ａ及び下段ロール状媒体１０ｂの長手方向端部を支持するロール支持部材１２を備える。上段ロール状媒体１０ａ及び下段ロール状媒体１０ｂは、それぞれのスプール軸が、芯管を介してスプール軸受台１１ａ，１１ｂに、回転可能に支持され、着脱可能に設置される。
【００２６】
なお、媒体供給装置は、ロール状媒体１０の芯管内に挿入される軸芯部を有しても良い。この軸芯部には、異なる径の芯管に対応するための増径部材が可変に設置される。そして、軸芯部に増径部材を配置した状態で、大経の芯管を備えたロール状媒体１０を保持し、軸芯部から増径部材を離間させた状態で小径の芯管を備えたロール状媒体１０を保持する。
【００２７】
媒体は、媒体供給装置によりロール状媒体１０から繰り出され、ロール状媒体１０の着脱方向の奥側に搬送される。そして、媒体は、図３に示すように、搬送機構３０によって、キャリッジ２０の移動方向である主走査方向Ｙと直交する副走査方向（図１の前後方向Ｘにおける前方向Ｘａ）に間欠的に搬送される。レジストローラ（位置合わせローラ）３４と同軸上に設けられたエンコーダシート３７は、側板に設けられたエンコーダセンサ３６にて読み取られる。そして、読み取られた情報に基づいて、ロール状媒体が、制御部３９にて制御される。
【００２８】
キャリッジ２０の主走査領域のうち、一方の端部側領域には、図１の右斜め下方側に示すように、キャリッジ２０内の各液体記録ヘッドの維持回復を行う維持回復機構２５が配置されている。さらに、画像形成装置１には、各液体記録ヘッドのサブタンクに供給する各色のインクを収容するメインカートリッジ２６が着脱自在に装着されている。
【００２９】
ロール状媒体１０から繰り出された媒体は、図２に示すように、ロール状媒体セットガイド４０ａ，４０ｂ、搬送ローラ対９ａ，９ｂを経由し、媒体搬送ガイド部材３１，３２等によって形成される所定の搬送経路を通過し、レジストローラ３４及び加圧ローラ３５によって、繰り出されて挟持搬送されて画像形成部３に至る。そして、液体記録ヘッドが各色の液滴を画像データに対応してロール状媒体１０上に吐出することで、画像が形成される。画像が形成されたロール状媒体１０は、排出部に設けられたカッタ２７によって、所定の長さに切断される。
【００３０】
カッタ２７は、複数のプーリ（そのうちの１つのプーリは駆動モータに連結されている）間に掛け渡されたワイヤやタイミングベルトに固定され、駆動モータにより主走査方向Ｙに移動することで、ロール状媒体１０を所定の長さに切断する。切断されたロール状媒体１０は、排出部に排出され、スタックされる。
【００３１】
＜ロール状媒体セットガイドの構成＞
続いて、本発明の特徴的な構成の一つであるロール状媒体セットガイド４０を図４〜６を参照して説明する。なお、上段ロール状媒体１０ａに対応するロール状媒体セットガイド４０ａと、下段ロール状媒体１０ｂに対応するロール状媒体セットガイド４０ｂとは、同一の構成であることから、以下の説明では、参照符号におけるａ及びｂの添え字を適宜省略して説明する。
【００３２】
ガイド部材としての第１のセットガイド（当接部材）４１は、図４，５に示すように、固定部材であるロール支持部材１２ａの近傍に設けられる。第１のセットガイド４１の先端には、図６に示すように、従動コロ４２が設けられる。従動コロ４２は、画像形成装置１にセットされたロール状媒体１０の下方の外周面に常に当接する。すなわち、従動コロ４２は、ロール状媒体１０の残量、及び紙管サイズに追従する。
【００３３】
ガイド部材としての第２のセットガイド（補助部材）４５は、図４，５に示すように、第１のセットガイド４１より、ロール支持部材１２ｂ側に設けられる。第１のセットガイド４１と第２のセットガイド４５とは、図６に示すように、これらの基部において、回動軸としての支点軸４３を介して連結されているところ、第２のセットガイド４５は、第１のセットガイド４１に同調して、回動する。
【００３４】
＜ロール状媒体の脱着＞
続いて、ロール状媒体１０の着脱について説明する。
ロール状媒体１０は、図１に示すように、画像形成装置１の前面で、作業者がロール支持部材１２ａ、１２ｂをスプール軸受台１１ａ，１１ｂに対して、取付及び取外しをすることで、着脱可能とする。
【００３５】
ロール状媒体１０を媒体供給装置に取付ける際は、図７に示すように、ロール状媒体１０の用紙先端を媒体供給装置に作業者が挿入する。この際、スプール軸受台１１ａ，１１ｂに備わる支持コロ１３に支持されたロール状媒体１０を回転させても良い。
【００３６】
ところで、図７に示すように、ロール状媒体１０の外周面と連動して回動する第１のセットガイド１４１及び第２のセットガイド１４５が無い場合、用紙先端Ｆを媒体供給装置に挿入する際、用紙が垂れ下がる。そのため、作業者が用紙の垂れ下がりを手でおさえながら、用紙先端Ｆを媒体供給装置に挿入する必要がある。その結果、ロール状媒体１０の媒体供給装置への取付性が極端に低下する問題がある。なお、セットガイドがロール状媒体１０の外径に連動して回動しない場合や、セットガイドが短い場合も同様の問題が生じる。
【００３７】
本実施形態の第１のセットガイド１４１及び第２のセットガイド１４５は、図８に示すように、ロール状媒体１０の外周面と連動して回動する。そのため、第１のセットガイド１４１及び第２のセットガイド１４５は、自重で垂れ下がろうとする用紙先端Ｆを支える役割を担う。
【００３８】
ところで、ロール状媒体１０を支持するロール支持部材１２ｂは、ロール状媒体１０の長手方向の長さに応じて、位置が変動する。例えば、ロール状媒体１０の長手方向の端部が、第２のセットガイド４５の設置されている位置近傍にある場合、媒体の給送方向において、第１のセットガイド４１と第２のセットガイド４５との長さが同じであると、第２のセットガイド４５が、ロール支持部材１２に接触する。
【００３９】
また、ロール状媒体１０は、その使用により、ロール状媒体１０の外径が変化する。例えば、ロール状媒体の長手方向の長さが、第２のセットガイド４５の設置されている位置近傍にある場合でも、図９に示すように、ロール状媒体１０の外径がロール支持部材１２より大きいとき、媒体の給送方向において、第１のセットガイド４１と第２のセットガイド４５との長さが同じであると、第２のセットガイド４５は、ロール状媒体１０の外周面に接触する。しかしながら、図１０に示すように、ロール状媒体１０の外径がロール支持部材１２より小さいとき、第２のセットガイド４５は、ロール支持部材１２に接触する。
【００４０】
このように、第２のセットガイド４５がロール支持部材１２に接触すると、ロール状媒体１０の残量に適切に追従することができない問題がある。また、異音発生の問題もある。
【００４１】
本実施形態に係る第２のセットガイド４５は、媒体の給送方向において、第１のセットガイド４１より短い形状で構成される。また、第１のセットガイド４１と第２のセットガイド４５とは、支点軸４３から平行して延在する。そして、第１のセットガイド４１がロール状媒体１０の外周面に当接している状態で、第２のセットガイド４１は、ロール状媒体１０の外周面に当接しないようになっている。そのため、ロール支持部材１２ｂの位置が変動しても、ロール支持部材１２ｂに接触しない範囲に位置する第１のセットガイド４１のみを、従動コロ４２を介して、ロール状媒体１０に当接できる。その結果、第１のセットガイド４１は、ロール状媒体１０の残量に追従できる。また、搬送状態の用紙と干渉又は接触することもなく、搬送負荷とならないことから、印刷品質を維持できる。
【００４２】
ロール状媒体１０から給送される媒体の上方には、図５，６に示すように、画像形成装置１にセットされるロール状媒体１０の長手方向に亘って、ガイド部材としての第３のセットガイド（第２の補助部材）４６が設けられている。第３のセットガイド４６は、第３のセットガイド本体部４６ａと、第３のセットガイド先端部４６ｂと、第３のセットガイド本体部４６ａと第３のセットガイド先端部４６ｂとを接続する複数のリブ状の接続部４６ｃと、から構成される。
【００４３】
第１のセットガイド４１及び第２のセットガイド４５に加え、第３のセットガイド４６をさらに設けることで、ロール状媒体１０の取付作業性が向上する。
【００４４】
また、第３のセットガイド４６は、第３のセットガイド本体部４６ａと第３のセットガイド先端部４６ｂと接続部４６ｃとの間に、開口部４６ｄを有する。すなわち、第３のセットガイド４６は、第３のセットガイド４６の上方と下方を連通する開口部を有する。
【００４５】
第３のセットガイド４６が開口部４６ｄを有するところ、視認性が向上することから、ロール状媒体１０を画像形成装置１に容易にセットできる。また、ロール状媒体１０のカールに対して、ロール状媒体１０を押さえ込むことができることから、カールしたロール状媒体１０を画像形成装置１にセットすることが困難となることもない。なお、第３のセットガイド４６は、視認性向上のため、透明に形成されても良い。
【００４６】
続いて、本発明の第２実施形態について、図面を用いて詳細に説明する。なお、第１実施形態に係る画像形成装置と共通する構成については対応する符号を付して詳細な説明を省略し、異なる構成について図面に基づき詳細に説明する。
【００４７】
第２実施形態では、第１のセットガイドと第２のセットガイドの相対的な位置関係が異なる点で第１実施形態と相違する。以下、具体的に説明する。
【００４８】
ところで、第１実施形態では、第１のセットガイド４１がロール状媒体１０と当接し、第２のセットガイド４５がロール状媒体１０と当接しない構成であるところ、第１のセットガイド４１がロール状媒体に当接していない場所において、ロール状媒体１０の用紙先端がロール状媒体１０から若干解け、垂れ下がってしまう問題がある。
【００４９】
本実施形態の第１のセットガイド１４１及び第２のセットガイド１４５は、図１１に示すように、支点軸４３を中心に同一角度だけ回転した状態で可動する。なお、第１のセットガイド１４１と複数の第２のセットガイド１４５が、異なる角度を有していても良い。
【００５０】
第１のセットガイド１４１及び第２のセットガイド１４５は、支点軸４３を中心に同一角だけ回転した状態であるところ、第１のセットガイド１４１がロール状媒体１０に当接していない位置における、ロール状媒体１０の用紙先端の垂れ下がりをすくい上げる。そのため、ロール状媒体１０のセット性の向上を図れる。なお、第１のセットガイド１４１及び第２のセットガイド１４５は、上述の態様に限定されず、一定の距離だけオフセットした状態で可動するようにしても良い。
【００５１】
続いて、本発明の第３実施形態について、図面を用いて詳細に説明する。なお、第１実施形態に係る画像形成装置と共通する構成については対応する符号を付して詳細な説明を省略し、異なる構成について図面に基づき詳細に説明する。
【００５２】
第２実施形態では、第２のセットガイドの構成が異なる点で第１実施形態と相違する。以下、具体的に説明する。
【００５３】
ところで、従来のロール状媒体セットガイドは、ロール状媒体の取付性を向上させるため、媒体の給送方向に、可能な限り長く形成されている。しかしながら、上述のように、ロール支持部材１２ｂは、その位置が変化する。そのため、ロール状媒体セットガイドの長さが全て一律の長さであると、ロール状媒体セットガイドがロール支持部材１２ｂに干渉してしまう。その結果、ロール状媒体セットガイドは、ロール状媒体の残量に追従することができない問題が生じる。
【００５４】
本実施形態の第２のセットガイド２４５は、図１１に示すように、伸縮機構を有する。具体的には、第２のセットガイド２４５は、第２のセットガイド本体２４５ａと、第２のセットガイド先端部材２４５ｂと、第２のセットガイド本体２４５ａと第２のセットガイド先端部材２４５ｂと、を弾性変形して接続する弾性部材２４５ｃと、から構成される。
【００５５】
第２のセットガイド２４５が伸縮機構を有することで、第２のセットガイド２４５がロール支持部材１２と干渉したとしても、弾性部材２４５ｃが干渉による応力を吸収できる。そのため、第２のセットガイド２４５がロール状媒体１０から離間することなく、かつ更なるセット性向上を実現することが可能となる。なお、第２のセットガイド２４５に伸縮機構を有する態様に限定されず、第１のセットガイド及び／又は第３のセットガイドに伸縮機構を有しても良い。
【００５６】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００５７】
１０  ロール状媒体
４１  第１のセットガイド（ガイド部材の一例）
４３  支点軸（回動軸の一例）
４５  第２のセットガイド（ガイド部材の一例）
４６  第３のセットガイド（ガイド部材の一例）
【先行技術文献】
【特許文献】
【００５８】
【特許文献１】特開２０００−２７２７９４号公報
【図１】
2016128341.tif 000003
【図２】
2016128341.tif 000004
【図３】
2016128341.tif 000005
【図４】
2016128341.tif 000006
【図５】
2016128341.tif 000007
【図６】
2016128341.tif 000008
【図７】
2016128341.tif 000009
【図８】
2016128341.tif 000010
【図９】
2016128341.tif 000011
【図１０】
2016128341.tif 000012
【図１１】
2016128341.tif 000013
【図１２】
2016128341.tif 000014